(57)【特許請求の範囲】
【請求項１】
電柱に一方から引き留められる第１の架線と他方から引き留められる第２の架線とを電気的に繋ぐ縁線を被覆して絶縁する被覆手段を備える縁線絶縁保護具を用いて、これらの架線間に縁線を接続する縁線接続方法であって、
被覆手段により縁線を被覆する被覆工程と、被覆手段により被覆された縁線を接続する位置に保持する保持工程と、電柱に引き留められることにより張力が作用している第１の架線の部分と縁線の一端部とを接続する第１の接続工程と、電柱に引き留められることにより張力が作用している第２の架線の部分と縁線の他端部とを接続する第２の接続工程と、を備えることを特徴とする縁線接続方法。
【請求項２】
電柱に一方から引き留められる第１の架線と他方から引き留められる第２の架線とを電気的に繋ぐ縁線を被覆して絶縁する被覆手段と、該被覆手段の端部の被覆を解除可能な端部被覆解除手段とを備える縁線絶縁保護具を用いて、これらの架線間に縁線を接続する縁線接続方法であって、
被覆手段により縁線を被覆する被覆工程と、電柱に引き留められることにより張力が作用している第１の架線の部分と縁線の一端部とを接続する第１の接続工程と、電柱に引き留められることにより張力が作用している第２の架線の部分と縁線の他端部とを接続する第２の接続工程と、を備え、第１の接続工程又は第２の接続工程は、端部被覆解除手段で被覆手段の端部の被覆を解除して架線と縁線とを接続することを特徴とする縁線接続方法。
【請求項３】
前記端部被覆解除手段は、前記被覆手段の端部を開閉可能な開閉手段である請求項２に記載の縁線接続方法。
【請求項４】
前記被覆手段は、前記縁線を被覆可能な状態のまま当該被覆する縁線の軸芯方向に伸縮可能であって、
前記端部被覆解除手段は、前記被覆手段を当該被覆する縁線の軸芯方向に縮めることにより被覆手段の端部の被覆を解除可能である請求項２に記載の縁線接続方法。
【請求項５】
前記電柱の柱上に設けられる腕金に前記縁線を支持する縁線支持具を備え、
前記縁線絶縁保護具は、被覆手段の中途部の被覆を解除可能な中途部被覆解除手段を備え、
中途部被覆解除手段で被覆手段の中途部の被覆を解除し、被覆手段により被覆されていた縁線の中途部を縁線支持具によって支持する支持工程を備える請求項１〜４のいずれか１項に記載の縁線接続方法。
【請求項６】
電柱に一方から引き留められる第１の架線と他方から引き留められる第２の架線とを電気的に繋ぐ縁線を被覆して絶縁する被覆手段と、該被覆手段の中途部を開閉可能な開閉手段である中途部被覆解除手段を備え、電柱の柱上に設けられる腕金に縁線を支持する縁線支持具とを備える縁線絶縁保護具を用いて、これらの架線間に縁線を接続する縁線接続方法であって、
被覆手段により縁線を被覆する被覆工程と、電柱に引き留められることにより張力が作用している第１の架線の部分と縁線の一端部とを接続する第１の接続工程と、電柱に引き留められることにより張力が作用している第２の架線の部分と縁線の他端部とを接続する第２の接続工程と、中途部被覆解除手段で被覆手段の中途部の被覆を解除し、被覆手段により被覆されていた縁線の中途部を縁線支持具によって支持する支持工程とを備えることを特徴とする縁線接続方法。
【請求項７】
前記縁線支持具は、前記腕金に固定可能な固定部材と、前記縁線を支持可能な支持部材と、固定部材と支持部材とを離間して連結する連結部材と、を備える請求項５又は６に記載の縁線接続方法。
【請求項８】
前記被覆手段は、シート状に形成されて前記縁線の径方向から被覆可能な被覆シート体である請求項１〜７のいずれか１項に記載の縁線接続方法。
【請求項９】
前記被覆手段は、筒状に形成されて前記縁線の径方向から被覆可能な被覆筒体である請求項１〜７のいずれか１項に記載の縁線接続方法。
【請求項１０】
前記架線間に前記縁線を接続した後に、前記縁線絶縁保護具を縁線から取り外す取外工程を備える請求項１〜９のいずれか１項に記載の縁線接続方法。
【発明の詳細な説明】
【技術分野】
【０００１】
本発明は、電柱に一方から引き留められる第１の架線と他方から引き留められる第２の架線とを電気的に繋ぐ縁線を当該架線間に接続する縁線接続方法に関する。
【背景技術】
【０００２】
従来より、電柱には、引き留めクランプ等で引き留められて、張力が作用した状態で架線が架設されている。そして、その電柱の一方から引き留められる（第１の）架線と他方から引き留められる（第２の）架線との間には、張力が働かないようにして（電気的に）繋がれた縁線が設けられている（特許文献１  段落［０００６］等参照）。
【０００３】
この縁線には張力が作用していないため、この縁線箇所を切断することにより、容易に停電を発生させることができる。また、この切断された縁線箇所を接続しなおすことにより、停電を復旧させることができる（特許文献２  ［背景技術］等参照）。
【先行技術文献】
【特許文献】
【０００４】
【特許文献１】特開２０００−３１６４５７号公報
【特許文献２】特開２０１０−１７６８７８号公報
【発明の概要】
【発明が解決しようとする課題】
【０００５】
しかし、このような位置に接続箇所を設けると、当該接続箇所を絶縁カバー等で被覆するとはいえ、腕金や該腕金に支持される碍子などの充電部に近く、絶縁カバーが脱落した際に短絡や地絡事故になる恐れがある。特に、このような位置は、鳥の足場ともなっており巣が作られやすく、この巣に含まれる鉄くずなどの導電体が原因で地絡や短絡事故の可能性がより一層高まるため、注意を要していた。
【０００６】
よって、本発明は、かかる事情に鑑み、地絡や短絡事故が起こりにくいように架線に縁線を接続することができる縁線接続方法を提供することを課題とする。
【課題を解決するための手段】
【０００７】
本発明に係る縁線接続方法は、電柱に一方から引き留められる第１の架線と他方から引き留められる第２の架線とを電気的に繋ぐ縁線を被覆して絶縁する被覆手段を備える縁線絶縁保護具を用いて、これらの架線間に縁線を接続する縁線接続方法であって、被覆手段により縁線を被覆する被覆工程と、被覆手段により被覆された縁線を接続する位置に保持する保持工程と、電柱に引き留められることにより張力が作用している第１の架線の部分と縁線の一端部とを接続する第１の接続工程と、電柱に引き留められることにより張力が作用している第２の架線の部分と縁線の他端部とを接続する第２の接続工程と、を備えることを特徴とする。
【０００８】
かかる方法によれば、電柱に引き留められることにより張力が作用している架線の部分（例えば、架線が引き留めクランプで電柱間に引き留められている場合であれば、当該架線の一端部を引き留める引き留めクランプと他端部を引き留める引き留めクランプとの間の部分）に縁線を接続することができ、充電部や鳥の巣が作られやすい位置（引き留めクランプより電柱側の位置）に縁線が接続されることがないため、地絡や短絡事故が起こりにくいように架線に縁線を接続することができる。
【０００９】
また、縁線は、被覆手段が絶縁性を有することから、この被覆手段に被覆されることにより、絶縁することができる。よって、この被覆手段で被覆された縁線は、架線や充電部に接近させても絶縁を確保でき、この絶縁が確保された状態で架線に接続することができる。よって、架線間に縁線を接続する際においても、地絡や短絡事故が起こりにくいように架線に縁線を接続することができる。
【００１０】
また、本発明に係る縁線接続方法は、電柱に一方から引き留められる第１の架線と他方から引き留められる第２の架線とを電気的に繋ぐ縁線を被覆して絶縁する被覆手段と、該被覆手段の端部の被覆を解除可能な端部被覆解除手段とを備える縁線絶縁保護具を用いて、これらの架線間に縁線を接続する縁線接続方法であって、被覆手段により縁線を被覆する被覆工程と、電柱に引き留められることにより張力が作用している第１の架線の部分と縁線の一端部とを接続する第１の接続工程と、電柱に引き留められることにより張力が作用している第２の架線の部分と縁線の他端部とを接続する第２の接続工程と、を備え、第１の接続工程又は第２の接続工程は、端部被覆解除手段で被覆手段の端部の被覆を解除して架線と縁線とを接続することを特徴とする。
【００１１】
かかる方法によれば、電柱に引き留められることにより張力が作用している架線の部分（例えば、架線が引き留めクランプで電柱間に引き留められている場合であれば、当該架線の一端部を引き留める引き留めクランプと他端部を引き留める引き留めクランプとの間の部分）に縁線を接続することができ、充電部や鳥の巣が作られやすい位置（引き留めクランプより電柱側の位置）に縁線が接続されることがないため、地絡や短絡事故が起こりにくいように架線に縁線を接続することができる。
また、縁線は、被覆手段が絶縁性を有することから、この被覆手段に被覆されることにより、絶縁することができる。よって、この被覆手段で被覆された縁線は、架線や充電部に接近させても絶縁を確保でき、この絶縁が確保された状態で架線に接続することができる。よって、架線間に縁線を接続する際においても、地絡や短絡事故が起こりにくいように架線に縁線を接続することができる。
被覆手段で縁線の端部が被覆されている場合であっても、端部被覆解除手段で被覆手段の端部の被覆を解除すると、縁線の端部の被覆が解除されるため、被覆手段により被覆されていた縁線の端部と架線とを接続することができる。
【００１２】
また、本発明によれば、前記端部被覆解除手段は、前記被覆手段の端部を開閉可能な開閉手段であることが好ましい。かかる方法によれば、縁線を被覆する際は、開閉手段を閉じることにより、縁線を被覆して絶縁を確保するとともに、架線に縁線の端部を接続する際は、開閉手段を開くことにより、縁線の端部の絶縁を解除することができる。
【００１３】
また、本発明によれば、前記被覆手段は、前記縁線を被覆可能な状態のまま当該被覆する縁線の軸芯方向に伸縮可能であって、前記端部被覆解除手段は、前記被覆手段を当該被覆する縁線の軸芯方向に縮めることにより被覆手段の端部の被覆を解除可能であることが好ましい。かかる方法によれば、縁線を被覆する際は、被覆手段を伸ばして縁線の端部を覆うことにより、縁線を被覆して絶縁を確保するとともに、架線に縁線の端部を接続する際は、被覆手段を縮めて縁線の端部を剥き出しにすることにより、縁線の端部の絶縁を解除することができる。
【００１４】
また、本発明によれば、前記電柱の柱上に設けられる腕金に前記縁線を支持する縁線支持具を備え、前記縁線絶縁保護具は、被覆手段の中途部の被覆を解除可能な中途部被覆解除手段を備え、中途部被覆解除手段で被覆手段の中途部の被覆を解除し、被覆手段により被覆されていた縁線の中途部を縁線支持具によって支持する支持工程を備えていることが好ましい。かかる方法によれば、一方の（第１の）架線と他方の（第２の）架線との間に渡される縁線が自重などにより撓んで腕金などと接触するようなことがないように、縁線を縁線支持具で腕金に支持する場合であって、被覆手段で縁線の中途部が被覆されている場合であっても、中途部被覆解除手段で被覆手段の中途部の被覆を解除すると、縁線の中途部の被覆が解除されるため、被覆手段により被覆されていた縁線の中途部を縁線支持具で支持することができる。
【００１５】
また、本発明に係る縁線接続方法は、電柱に一方から引き留められる第１の架線と他方から引き留められる第２の架線とを電気的に繋ぐ縁線を被覆して絶縁する被覆手段と、該被覆手段の中途部を開閉可能な開閉手段である中途部被覆解除手段を備え、電柱の柱上に設けられる腕金に縁線を支持する縁線支持具とを備える縁線絶縁保護具を用いて、これらの架線間に縁線を接続する縁線接続方法であって、被覆手段により縁線を被覆する被覆工程と、電柱に引き留められることにより張力が作用している第１の架線の部分と縁線の一端部とを接続する第１の接続工程と、電柱に引き留められることにより張力が作用している第２の架線の部分と縁線の他端部とを接続する第２の接続工程と、中途部被覆解除手段で被覆手段の中途部の被覆を解除し、被覆手段により被覆されていた縁線の中途部を縁線支持具によって支持する支持工程とを備えることを特徴とする。
かかる方法によれば、電柱に引き留められることにより張力が作用している架線の部分（例えば、架線が引き留めクランプで電柱間に引き留められている場合であれば、当該架線の一端部を引き留める引き留めクランプと他端部を引き留める引き留めクランプとの間の部分）に縁線を接続することができ、充電部や鳥の巣が作られやすい位置（引き留めクランプより電柱側の位置）に縁線が接続されることがないため、地絡や短絡事故が起こりにくいように架線に縁線を接続することができる。
また、縁線は、被覆手段が絶縁性を有することから、この被覆手段に被覆されることにより、絶縁することができる。よって、この被覆手段で被覆された縁線は、架線や充電部に接近させても絶縁を確保でき、この絶縁が確保された状態で架線に接続することができる。よって、架線間に縁線を接続する際においても、地絡や短絡事故が起こりにくいように架線に縁線を接続することができる。
一方の（第１の）架線と他方の（第２の）架線との間に渡される縁線が自重などにより撓んで腕金などと接触するようなことがないように、縁線を縁線支持具で腕金に支持する場合であって、被覆手段で縁線の中途部が被覆されている場合であっても、中途部被覆解除手段で被覆手段の中途部の被覆を解除すると、縁線の中途部の被覆が解除されるため、被覆手段により被覆されていた縁線の中途部を縁線支持具で支持することができる。
縁線を被覆する際は、開閉手段を閉じることにより、縁線を被覆して絶縁を確保するとともに、縁線支持具に縁線の中途部を支持する際は、開閉手段を開くことにより、縁線の中途部の絶縁を解除することができる。
【００１６】
また、本発明によれば、前記縁線支持具は、前記腕金に固定可能な固定部材と、前記縁線を支持可能な支持部材と、固定部材と支持部材とを離間して連結する連結部材と、を備えることが好ましい。かかる方法によれば、例えば、活線状態で縁線を架線間に接続するような場合で、縁線を支持するピン碍子などの縁線支持具に活線状態にある既設の縁線が支持されていることにより、新設する縁線が支持できない場合であっても、本発明に係る縁線支持具を腕金に固定することにより新設する縁線を支持することができる。
【００１７】
また、本発明によれば、前記被覆手段は、シート状に形成されて前記縁線の径方向から被覆可能な被覆シート体や、筒状に形成されて前記縁線の径方向から被覆可能な被覆筒体であることが好ましい。かかる方法によれば、架線間に架け渡す形状に合わせてくせをつけた状態の縁線に沿わせて被覆シート体や被覆筒体を被覆することができる。更に、例えば、架線に接続され、又は、縁線支持具に支持された後、当該縁線から被覆手段を縁線の径方向に取り外すことができるように構成されており、他の縁線の接続に使いまわしができる。
【００１８】
また、本発明によれば、前記架線間に前記縁線を接続した後に、前記縁線絶縁保護具を縁線から取り外す取外工程を備えていることが好ましい。かかる方法によれば、架線に接続され、又は、縁線支持具に支持された後、当該縁線から縁線絶縁保護具を取り外して、他の縁線の接続に使いまわすことができる。
【発明の効果】
【００１９】
以上の如く、本発明に係る縁線接続方法によれば、地絡や短絡事故が起こりにくいように架線に縁線を接続することができるという優れた効果を奏する。
【図面の簡単な説明】
【００２０】
【図１】（ａ）〜（ｃ）は、本発明に係る縁線接続方法が適用される具体的な事例を説明する縁線周辺の側面外観図を示し、（ｄ）は、本発明に係る縁線接続方法が適用された代表事例を説明する縁線周辺の側面外観図を示す。
【図２】本発明の第１実施形態に係る縁線接続方法に用いる縁線絶縁保護具の外観斜視図を示し、（ａ）は、電線（縁線）を被覆する前の状態の縁線絶縁保護具を表側から見た図であり、（ｂ）は、電線（縁線）を被覆する前の状態の縁線絶縁保護具を裏側から見た図である。
【図３】同実施形態に係る縁線接続方法に用いる縁線絶縁保護具の外観斜視図を示し、（ａ）は、電線（縁線）を被覆するために、被覆シート体（被覆手段）を幅方向に曲げて長手方向に沿った端部同士を閉じた状態の縁線絶縁保護具を示す図であり、（ｂ）は、電線（縁線）を被覆するために、幅方向に曲げられて端部同士が閉じられた被覆シート体の長手方向の端部を閉塞させた状態の縁線絶縁保護具を示す図である。
【図４】（ａ）は、同実施形態に係る縁線接続方法に用いる縁線支持具の側面図を示し、（ｂ）は、（ａ）のＡ−Ａ断面の断面図を示す。
【図５】同実施形態に係る縁線接続方法の各工程を説明するフローチャートを示す。
【図６】同実施形態に係る縁線接続方法の各工程を説明する説明図を示し、（ａ）は、保持工程を示す図であり、（ｂ）は、第１の接続工程及び第２の接続工程を示す図である。
【図７】同実施形態に係る縁線接続方法の各工程を説明する説明図を示し、（ａ）は、支持工程を示す図であり、（ｂ）は、接続完了後を示す図である。
【図８】（ａ）は、本発明の第２実施形態に係る縁線接続方法に用いる縁線絶縁保護具の外観斜視図を示し、（ｂ）は、同実施形態に係る縁線接続方法に用いる縁線絶縁保護具の分解斜視図を示す。
【図９】同実施形態に係る縁線接続方法の各工程を説明する説明図を示し、（ａ）は、保持工程を示す図であり、（ｂ）は、第１の接続工程及び第２の接続工程を示す図である。
【図１０】同実施形態に係る縁線接続方法の各工程を説明する説明図を示し、（ａ）は、支持工程を示す図であり、（ｂ）は、接続完了後を示す図である。
【図１１】本発明の第３実施形態に係る縁線接続方法に用いる縁線絶縁保護具の側面図を示す。
【図１２】同実施形態に係る縁線接続方法の各工程を説明する説明図を示し、（ａ）は、保持工程を示す図であり、（ｂ）は、第１の接続工程及び第２の接続工程を示す図である。
【図１３】同実施形態に係る縁線接続方法の各工程を説明する説明図を示し、（ａ）は、支持工程を示す図であり、（ｂ）は、接続完了後を示す図である。
【図１４】他の実施形態に係る縁線絶縁保護具の第２の被覆解除手段であって、（ａ）は、縁線の端部の被覆を解除する前の状態の外観斜視図を示し、（ｂ）は、縁線の端部の被覆を解除した後の状態の外観斜視図を示し、（ｃ）は、縁線から縁線絶縁保護具を取り外している状態の側面図を示す。
【図１５】他の実施形態に係る縁線絶縁保護具の第１の被覆解除手段であって、（ａ）は、縁線の中途部の被覆を解除する前の状態の外観斜視図を示し、（ｂ）は、縁線の中途部の被覆を解除する前の状態にある、（ａ）のＡ−Ａ断面の断面図を示し、（ｃ）は、縁線の中途部の被覆を解除した後の状態にある、（ａ）のＡ−Ａ断面の断面図を示す。
【図１６】他の実施形態に係る縁線絶縁保護具の第１維持手段及び維持解除手段であって、（ａ）は、防具用クリップを被覆手段の長手方向の端部に把持した状態の外観斜視図を示し、（ｂ）は、防具用クリップを被覆手段の略全周を抱き込むようにして把持した状態の外観斜視図を示す。
【発明を実施するための形態】
【００２１】
本発明の第１実施形態に係る縁線接続方法について、図面を参照しつつ説明する。まず、本縁線接続方法が適用される具体的な事例について図１を参酌しつつ説明する。本縁線接続方法が適用される第１の事例は、図１（ａ）の縁線周辺の側面外観図に示されるように、既設の縁線９０１を新設の縁線に張り替える事例である。第２の事例は、図１（ｂ）の縁線周辺の側面外観図に示されるように、既設の縁線９０１に当該縁線９０１同士の接続部分９０２があるため、新たに縁線９０１を切断して接続しなおすことが容易でない事例である。第３の事例は、図１（ｃ）の縁線周辺の側面外観図に示されるように、終末の電柱９０３に架設された架線９０４の末端（俗に、「とまり」と称する部分）を更に延長させる事例である。本発明の縁線接続方法が適用されると、縁線９０１は、図１（ｄ）に示すように、電柱９０３に一方から引き留められ張力が作用した第１の架線９０４Ａと、他方から引き留められ張力が作用した第２の架線９０４Ｂとに当該縁線９０１の端部が接続され、更に、腕金９０５に支持されたピン碍子９０６に当該縁線９０１の中途部が接続される。
【００２２】
第１の事例及び第２の事例では、図１（ａ）及び図１（ｂ）に示すように、引き留めクランプ９０７，９０７で引き留められ、張力が作用していない部分（すなわち、縁線）９０１を切断して停電させた後、復旧させる場合に、図１（ｄ）に示すように、縁線９０１の当該切断箇所を圧着スリーブ等で接続することなく、ピン碍子９０６から縁線（図１（ａ）又は図１（ｂ）に示す縁線）９０１を取り外し、端末キャップ９０８，９０８で端末処理を施す。そして、新設する縁線９０１の端部を接続する架線９０４，９０４の接続箇所の絶縁被覆を剥ぎ、導電部分を剥き出しにして、圧着スリーブ等で縁線９０１の端部と接続し、絶縁カバー９０９，９０９で絶縁被覆する。また、新設する縁線９０１の中途部は、ピン碍子９０６に固定する。このようにして新しい縁線９０１に張り替える。
【００２３】
また、第１の事例及び第２の事例には、停電させる必要がない場合など、間接活線作業で縁線９０１を張り替える事例も含まれる。すなわち、既設の縁線９０１を切断することなく、当該縁線９０１と並行させて上記事例の要領で縁線９０１を新設し、その後、既設の縁線９０１を切断するなどして撤去し、新しい縁線９０１に張り替える事例である。
【００２４】
なお、縁線９０１が電柱９０３に一方から引き留めクランプ９０７で引き留められる第１の架線９０４Ａと他方から引き留めクランプ９０７で引き留めされる第２の架線９０４Ｂとを連結することなく連続する１本の電線にあっては、引き留めクランプ９０７，９０７で引き留められることにより張力が作用している部分を架線（第１の架線９０４Ａ又は第２の架線９０４Ｂ）９０４とみなし、引き留めクランプ９０７，９０７間の、張力が作用していない部分を縁線９０１とみなす。
【００２５】
第３の事例でも、基本的に上記事例の要領と同様に縁線９０１が新設される。すなわち、延長される架線を同じく新設する引き留めクランプを介して電柱９０３に引き留め、既設の架線９０４と新たに電柱９０３に引き留められる架線とを縁線９０１に接続することにより、架線９０４を延長する。
【００２６】
次に、第１実施形態に係る縁線接続方法について、説明する。まず、本実施形態に係る縁線接続方法に用いる縁線絶縁保護具及び縁線支持具の構成について、図２〜図４を参酌しつつ、説明する。
【００２７】
縁線絶縁保護具１００は、図２及び図３の外観斜視図に示されているように、縁線を被覆可能であり絶縁性を有する被覆手段１１０と、該被覆手段１１０の中途部の被覆を解除可能な第１の被覆解除手段１２０と、被覆手段１１０の端部の被覆を解除可能な第２の被覆解除手段１３０，１３０と、を備える。
【００２８】
被覆手段１１０は、シート状に形成されて縁線の周方向から被覆可能な被覆シート体１１１と、該被覆シート体１１１を縁線の周方向に被覆された状態に維持可能な第１維持手段１１２と、被覆シート体１１１を縁線の軸芯方向に被覆された状態に維持可能な第２維持手段１１３と、第１維持手段１１２及び第２維持手段１１３の被覆状態の維持を解除可能な維持解除手段１１４と、を備える。
【００２９】
被覆シート体１１１は、被覆する電線（縁線）の長手方向の長さ以上の長さを有し、被覆する電線（縁線）を周方向に巻き付け可能な長さ以上の幅を有する長尺状のシートである。被覆シート体１１１は、電気絶縁性並びに絶縁耐力が大きく柔軟な材質のものであればよく、例えば、天然ゴム、合成ゴム、プラスチックなどで製造される。特に、被覆シート体１１１は、縁線の周方向に巻き付けるために、幅方向に柔軟に折り曲げ可能であることが好ましく、また、第１の架線から第２の架線に向かって円弧状をなして曲げられる縁線に沿って巻き付けられるため、長手方向にも柔軟に折り曲げ可能であることが好ましい。
【００３０】
第１維持手段１１２は、被覆シート体１１１の幅方向に曲げられて長手方向の一方の端部と他方の端部とを重ね合わせる。第１維持手段１１２は、面接触させることにより接合可能な接合部１１２ａ，１１２ｂであり、例えば、面ファスナーなどである。そして、接合部１１２ａ，１１２ｂは、被覆シート体１１１の一方の面（以下、「表面」と称する。図２（ａ）で示す面）の長手方向に沿った一方の端部に設けられた第１接合部１１２ａと、該一方の端部と反対の他方の端部に対応する、被覆シート体１１１の他方の面（以下、「裏面」と称する。図２（ｂ）で示す面）の長手方向に沿った端部に設けられた第２接合部１１２ｂと、を有する。第１接合部１１２ａと第２接合部１１２ｂとは、被覆シート体１１１を幅方向に曲げて、長手方向の一方の端部と他方の端部とが重なりあうように合わせた際に、互いに対向する位置関係にある。
【００３１】
第２維持手段１１３は、幅方向に曲げられて端部同士を重ね合わせた被覆シート体１１１の長手方向の両端部を重ね合わせる。第２維持手段１１３もまた、面接触させることにより接合可能な接合部１１３ａ，１１３ｂであり、例えば、面ファスナーなどである。そして、接合部１１３ａ，１１３ｂは、被覆シート体１１１の裏面の、第１維持手段１１２の第２接合部１１２ｂが設けられた位置から幅方向に沿って同一長さで直列に配置された第１接合部１１３ａ及び第２接合部１１３ｂを有する。第１接合部１１３ａと第２接合部１１３ｂとは、一対となっており、被覆シート体１１１の長手方向の両端部にそれぞれ一対づつ設けられている。第１接合部１１３ａと第２接合部１１３ｂとは、幅方向に曲げられて端部同士を重ね合わせた被覆シート体１１１の内面同士を接触させた際に面接触可能な位置関係にある。
【００３２】
維持解除手段１１４は、幅方向に曲げられて端部同士を重ね合わせた被覆シート体１１１の一方の端部と他方の端部とを引き離す。維持解除手段１１４は、具体的には、幅方向に曲げられて端部同士を重ね合わせた被覆シート体１１１の一方の端部と他方の端部とが離間することにより形成されるシート端１１４ａと、被覆シート体１１１の表面の一方の端部に第１維持手段１１２の第１接合部１１２ａに沿って所定間隔空けて設けられた把持片１１４ｂ，…である。
【００３３】
シート端１１４ａは、一方の端部と他方の端部とを重ね合わせた際に、面接触していない被覆シート体１１１の長手方向の端の部分である。第１維持手段１１２の第２接合部１１２ｂが被覆シート体１１１の長手方向の端から幅方向に離間させて絶縁シート体１１１上に設けられていることにより、被覆シート体１１１を幅方向に曲げて端部同士を重ね合わせた際に形成される。把持片１１４ｂは、被覆シート体１１１の表面に対して略直角方向に突き出すように取り付けられる。
【００３４】
維持解除手段１１４は、例えば、間接活線作業具で把持片１１４ｂを把持し、他の間接活線作業具でシート端１１４ａを把持して、重なっている被覆シート体１１１の一方の端部と他方の端部とを引き離すことにより、被覆シート体１１１を展開する。
【００３５】
第１の被覆解除手段１２０は、被覆手段１１０の中途部を開閉可能な開閉手段１２１と、該開閉手段１２１の開閉操作のために把持する把持部１２２と、を備える。開閉手段１２１は、被覆シート体１１１の長手方向に沿って直線状に切断されて形成された開口部を開閉する手段である。例えば、開閉手段１２１は、絶縁性材料で構成されている線ファスナーである。この開閉手段１２１は、長手方向中央側から外側に向かって両側に開く構造となっており、その開く程度によってその開口大きさや開口位置を適宜変更可能になっている。把持部１２２は、開閉手段１２１の開閉操作を間接活線作業具で操作しやすいように設けられた板状の部材である。
【００３６】
第２の被覆解除手段１３０は、被覆手段１１０の端部を開閉可能な開閉手段１３１，１３１と、該開閉手段１３１，１３１の開閉操作のために把持する把持部１３２，１３２と、を備える。開閉手段１３１は、被覆シート体１１１の長手方向に沿って直線状に切断されて形成された開口部を開閉する手段である。例えば、開閉手段１３１は、絶縁性材料で構成されている線ファスナーである。この開閉手段１３１は、長手方向外側から中央側に向かって開く構造となっており、その開く程度によってその開口大きさや開口位置を適宜変更可能になっている。把持部１３２は、開閉手段１２１の開閉操作を間接活線作業具で操作しやすいように設けられた板状の部材である。
【００３７】
縁線支持具１４０は、図４に示すように、電柱の柱上に設けられる腕金９０５に縁線を支持するため、腕金９０５に固定可能な固定部材１４１と、縁線を支持可能な支持部材１４２と、固定部材１４１と支持部材１４２とを離間して連結する連結部材１４３と、を備える。
【００３８】
固定部材１４１は、腕金９０５を把持する構造を有し、腕金９０５の上面と下面とに接触させて把持することにより腕金９０５に固定される。固定部材１４１は、腕金９０５を側面から嵌め込み可能なように断面形状が略コの字形に形成された固定部１４１ａと、該固定部１４１ａを嵌め込んだ腕金９０５（の上面）との間の隙間を調整可能に可動する可動部１４１ｂと、を備える。固定部１４１ａと可動部１４１ｂとは、固定部１４１ａの内側に嵌め込まれた腕金９０５に対して可動部１４１ｂを進退可能に可動し、腕金９０５を固定部１４１ａと可動部１４１ｂとの間に挟み込むことにより、腕金９０５を着脱可能に固定する。なお、可動部１４１ｂは、固定部１４１ａに対して螺合されており、回動させることにより、軸芯方向に移動する。
【００３９】
支持部材１４２は、縁線を腕金９０５から所定間隔離間した位置に保持するために、縁線を支持する。支持部材１４２は、略半環状の固定片１４２ａと、該固定片１４２ａの一端に軸支された略半環状の可動片１４２ｂと、固定片１４２ａと可動片１４２ｂとを軸支する軸部１４２ｃと、を備える。支持部材１４２は、縁線を支持する際は、軸部１４２ｃを中心に固定片１４２ａに対して可動片１４２ｂを離間させ（開いて）、固定片１４２ａの内側に配置させ、可動片１４２ｂを接近させる（閉じる、図４（ａ）の状態）ことにより、縁線を支持することができる。
【００４０】
連結部材１４３は、支持部材１４２で支持される縁線と腕金９０５及び該腕金９０５に支持されるピン碍子やその他充電部に接触する恐れのない離隔を確保するために、固定部材１４１と支持部材１４２とを上記離間が確保できる長さを空けた状態で連結する。連結部材１４３が支持部材１４２の固定片１４２ａと軸芯中心に回動自在に連結されており、固定部材１４１の可動部１４１ｂ並びに連結部材１４３が軸芯中心に回動しても、支持部材１４２は、追従して回動しないよう構造を有する。なお、連結部材１４３は、縁線等に鳥等が乗るなどして縁線が腕金９０５側に寄ることがないようにつっかえとなる働きも有している。
【００４１】
次に、本実施形態に係る縁線接続方法について、図５〜図７を参酌しつつ、詳細に説明する。ここで、縁線として用いる電線は、予め作業者によって両端部の絶縁被覆が剥ぎ取られ、導電部が露出した状態となっている。また、縁線を接続する架線側の接続箇所に絶縁被覆も剥ぎ取られており、導電部が露出した状態となっている。
【００４２】
まず最初に、縁線支持具１４０を腕金９０５に固定する（支持具固定工程Ｓ１）。具体的には、縁線支持具１４０の固定部材１４１の固定部１４１ａを腕金９０５に嵌め込み、可動部１４１ｂを可動させて腕金９０５に固定する（図６（ａ）参照）。
【００４３】
次いで、作業者は、被覆手段１１０により電線（縁線）を被覆する（被覆工程Ｓ２）。具体的には、電線の軸芯方向に沿って被覆手段１１０を周方向に巻き付け、第１維持手段１１２で被覆シート体１１１の長手方向の端部同士を重ね合わせた状態で閉じる。被覆シート体１１１の端部同士が閉じられて、略筒形状となっている被覆シート体１１１を、更に、長手方向の両端部を内側に押圧するなどして平らにすることにより第２維持手段１１３で被覆シート体１１１の両端部を閉塞させる。このような状態にすることにより、電線を縁線絶縁保護具１００で絶縁する。この被覆工程Ｓ２は、支持具固定工程Ｓ１の前に行ってもよいし、別の作業者により行うことにより、同時に行ってもよい。
【００４４】
次いで、図６（ａ）に示すように、被覆手段１１０で電線の一端から他端まで被覆された縁線絶縁保護具１００及び該縁線絶縁保護具１００で被覆された電線（縁線）を、間接活線作業具などで縁線を接続する位置に保持する（保持工程Ｓ３）。間接活線作業具は、絶縁ヤットコなどのような当該縁線絶縁保護具１００の把持操作が可能な間接活線作業用把持具であり、このような把持操作が可能な先端把持工具を先端に装着した共用操作棒などを用いてもよい。また、直接活線作業で行う場合であれば、絶縁手袋等で防護した作業者によって保持されてもよい。なお、縁線絶縁保護具１００及び縁線は、柱上の充電部と絶縁されつつ保持されているため、特に充電部に対して防具などの絶縁防護を施す必要はない。
【００４５】
次いで、図６（ｂ）に示すように、電柱９０３に引き留められることにより張力が作用している第１の架線９０４Ａの部分と縁線９０１の一端部とを接続する（第１の接続工程Ｓ４）。具体的には、縁線絶縁保護具１００の第２の被覆解除手段１３０の把持部１３２を間接活線作業具で把持して、開閉手段１３１を開く。開閉手段１３１が開くことにより、絶縁シート体１１１によって被覆された電線の一端部が開放され、被覆手段１１０の端部の被覆が解除される。このように被覆が解除されて縁線９０１の端部は、第１の架線９０４Ａと接続可能な状態となる。この縁線９０１の一端部と第１の架線９０４Ａの絶縁被覆が剥ぎ取られた接続箇所とを圧着スリーブ等で接続し、絶縁カバー９０９等で絶縁保護される。
【００４６】
また、第１の接続工程Ｓ４と同様の要領で、電柱９０３に引き留められることにより張力が作用している第２の架線９０４Ｂの部分と縁線９０１の他端部とを接続する（第２の接続工程Ｓ５）。
【００４７】
次いで、図７（ａ）に示すように、腕金９０５に固定された縁線支持具１４０に縁線絶縁保護具１００で絶縁された縁線９０１を支持する（支持工程Ｓ６）。具体的には、縁線絶縁保護具１００の第１の被覆解除手段１２０の把持部１２２を間接活線作業具で把持して、開閉手段１２１を開く。開閉手段１２１が開くことにより、絶縁シート体１１１によって被覆された縁線９０１の中途部が開放され、被覆手段１１０の中途部の被覆が解除される。このように被覆が解除されて支持可能な状態となった縁線９０１の中途部を縁線支持具１４０に支持する。すなわち、縁線支持具１４０の支持部材１４２の可動片１４２ｂを開いて、縁線９０１の中途部を支持部材１４２の内側に挿入し、その後、可動片１４２ｂを閉じることにより、縁線９０１を縁線支持具１４０に支持する。
【００４８】
なお、第１の接続工程Ｓ４、第２の接続工程Ｓ５及び支持工程Ｓ６は、保持工程Ｓ３の後であれば、どのような順番で行われてもよい。
【００４９】
最後に、図７（ｂ）に示すように、架線９０４Ａ，９０４Ｂ間に縁線９０１を接続した後、縁線絶縁保護具１００を縁線９０１から取り外す（取外工程Ｓ７）。具体的には、長手方向に所定間隔あけて設けられている維持解除手段１１４の把持片１１４ｂに間接活線作業具を把持し、他の間接活線作業具をシート端１１４ａを把持する。そして、重なっている被覆シート体１１１の一方の端部と他方の端部とを引き離すように間接活線作業具を操作すると、第１維持手段１１２及び第２維持手段１１３が引き離されて、被覆シート体１１１による被覆が解かれる。この操作を繰り返すことにより、縁線９０１に沿って被覆されている被覆シート体１１１による被覆をすべて解き、縁線９０１から縁線絶縁保護具１００を取り外す。
【００５０】
このようにすることにより、電柱９０３に引き留められることにより張力が作用している架線９０４Ａ，９０４Ｂの部分（例えば、架線９０４Ａ，９０４Ｂが引き留めクランプ９０７，９０７で電柱９０３間に引き留められている場合であれば、当該架線９０４Ａ，９０４Ｂの一端部を引き留める引き留めクランプ９０７と他端部を引き留める引き留めクランプ９０７との間の部分）に縁線９０１を接続することができ、充電部や鳥の巣が作られやすい位置（引き留めクランプ９０７より電柱９０３側の位置）に縁線９０１が接続されることがないため、地絡や短絡事故が起こりにくいように架線に縁線を接続することができる。
【００５１】
また、縁線９０１は、被覆手段１１０が絶縁性を有することから、この被覆手段１１０に被覆されることにより、絶縁することができる。よって、この被覆手段１１０で被覆された縁線９０１は、架線９０４や充電部に接近させても絶縁９０１を確保でき、この絶縁が確保された状態で架線９０４に接続することができる。よって、架線９０４Ａ，９０４Ｂ間に縁線９０１を接続する際においても、地絡や短絡事故が起こりにくいように架線に縁線を接続することができる。
【００５２】
一方の（第１の）架線９０４Ａと他方の（第２の）架線９０４Ｂとの間に渡される縁線９０１が自重などにより撓んで腕金９０５などと接触するようなことがないように、縁線９０１を縁線支持具１４０で腕金９０５に支持する場合であって、被覆手段１１０で縁線９０１の中途部が被覆されている場合であっても、第１の被覆解除手段１２０で被覆手段１１の中途部の被覆を解除すると、縁線９０１の中途部の被覆が解除されるため、被覆手段１１０により被覆されていた縁線９０１の中途部を縁線支持具１４０で支持することができる。
【００５３】
また、縁線９０１を被覆する際は、開閉手段１２１を閉じることにより、縁線９０１を被覆して絶縁を確保するとともに、縁線支持具１４０に縁線９０１の中途部を支持する際は、開閉手段１２１を開くことにより、縁線９０１の中途部の絶縁を解除することができる。
【００５４】
例えば、活線状態で縁線９０１を架線９０４Ａ，９０４Ｂ間に接続するような場合で、活線状態にある既設の縁線９０１が縁線９０１を支持するピン碍子などの縁線支持具１４０に支持されていることにより新設する縁線９０１を支持できない場合であっても、本発明に係る縁線支持具１４０を腕金９０５に固定することにより新設する縁線９０１を支持することができる。
【００５５】
また、被覆手段１１０で縁線９０１の端部が被覆されている場合であっても、第２の被覆解除手段１３０で被覆手段１１０の端部の被覆を解除すると、縁線９０１の端部の被覆が解除されるため、被覆手段１１０により被覆されていた縁線９０１の端部と架線９０４とを接続することができる。
【００５６】
また、縁線９０１を被覆する際は、開閉手段１３１，１３１を閉じることにより、縁線９０１を被覆して絶縁を確保するとともに、架線９０４に縁線９０１の端部を接続する際は、開閉手段１３１，１３１を開くことにより、縁線９０１の端部の絶縁を解除することができる。
【００５７】
また、架線９０４，９０４間に架け渡す形状に合わせてくせをつけた状態の縁線９０１であっても、この縁線９０１に沿わせて被覆シート体１１１を被覆することができる。更に、例えば、架線９０１に接続され、又は、縁線支持具１４０に支持された後、当該縁線９０１から被覆手段１１０を縁線９０１の周方向に取り外すことができるように構成されており、他の縁線９０１の接続に使いまわしができる。
【００５８】
また、架線９０４に接続され、又は、縁線支持具１４０に支持された後、当該縁線９０１から縁線絶縁保護具１００を取り外して、他の縁線９０１の接続に使いまわすことができる。
【００５９】
次に、第２実施形態に係る縁線接続方法について、詳細に説明する。まず、本実施形態に係る縁線接続方法に用いる縁線絶縁保護具２００の構成について、図８を参酌しつつ説明する。なお、本実施形態に係る縁線接続方法に用いる縁線支持具は、第１実施形態に係る縁線支持具１４０と同様であるため、構成についての説明を省略する。また、縁線絶縁保護具２００についても、第１実施形態に係る縁線絶縁保護具１００と同様の構成については、説明を省略する。
【００６０】
縁線絶縁保護具２００は、第１実施形態に係る縁線絶縁保護具１００と同様に、被覆手段２１０と、第１の被覆解除手段２２０と、第２の被覆解除手段２３０と、を備える。
【００６１】
被覆手段２１０は、筒状に形成されて縁線の周方向から被覆可能な被覆筒体２１１と、該被覆筒体２１１の内側に縁線を収納する収納手段２１２と、を備える。
【００６２】
被覆筒体２１１は、少なくとも、被覆する電線の長手方向の長さ以上の長さを有し、被覆する電線の直径以上の内径を有する円筒形の筒である。被覆筒体２１１は、電気絶縁性並びに絶縁耐力が大きいものが選択される。
【００６３】
被覆筒体２１１は、縁線を被覆可能な状態のまま当該被覆する縁線の軸芯方向に伸縮可能な伸縮部２１１ａ，２１１ａを有する。伸縮部２１１ａは、具体的には、蛇腹（ベローズとも呼ばれる）である。この伸縮部２１１ａは、被覆筒体２１１の筒芯方向の長さを伸縮することにより調整することができる。具体的には、被覆筒体２１１は、伸縮部２１１ａを伸ばすことにより、縁線の軸芯方向の長さまで伸ばすことができる。被覆筒体２１１は、伸縮部２１１ａの縮めることにより、縁線の軸芯方向の長さ以下に縮めることができる。
【００６４】
収納手段２１２は、被覆筒体２１１の長手方向に沿って連続して破断して形成された収納路２１２ａと、該収納路２１２ａの両側にそれぞれ配置される把持部２１２ｂ，２１２ｂ，…と、を備える。
【００６５】
収納路２１２ａは、被覆筒体２１１の長手方向に沿う端部同士を周方向に離間することにより形成され、縁線を挿入することができる程度まで開くように形成される一方、縁線を収納した後は、（弾性変形することにより）閉じるように形成されている。つまり、被覆筒体２１１が長手方向の沿う端部同士を強制的に離間する方向に作用させないかぎり、端部同士が近接若しくは接触した状態に戻るように加工される。
【００６６】
把持部２１２ｂ，２１２ｂ，…は、間接活線作業具で把持可能なように被覆筒体２１１の表面に対して直角方向に突出させて形成され、所定間隔空けて複数設けられている。なお、把持部２１２ｂ，２１２ｂ，…は、収納路２１２ａを跨いで両側に設けられた把持部２１２ｂ、２１２ｂを一組として用いる。すなわち、把持部２１２ｂ，２１２ｂを周方向に離間するように操作することにより、被覆筒体２１１の長手方向に沿う端部同士が離間して、収納路２１２ａを縁線の直径以上とすることができ、縁線を被覆筒体２１１の径方向から収納することができる。
【００６７】
第１の被覆解除手段２２０は、被覆筒体２１１の中途部が筒芯方向に複数に分割可能な分割手段２２１と、該分割手段２２１の分割操作のために把持する把持部２２２と、を備える。
【００６８】
分割手段２２１は、被覆筒体２１１の長手方向に２分割可能に構成され、被覆筒体２１１を第１分割体２１１Ａと第２分割体２１１Ｂとに分離することができる。第１分割体２１１Ａは、第１の架線側の被覆筒体２１１であり、第２分割体２１１Ｂは、第２の架線側の被覆筒体２１１である。第１分割体２１１Ａと第２分割体２１１Ｂとは、第１分割体２１１Ａの開口端面が凹状に形成され、第２分割体２１１Ｂの開口端面が凸状に形成され、それぞれが凹凸係合されて結合されている。そして、分割手段２２１は、この凹凸係合を分離することにより第１分割体２１１Ａと第２分割体２１１Ｂとに分割する。
【００６９】
把持部２２２は、収納手段２１２の把持部２１２ｂ，２１２ｂ，…と同じ構成であり、第１分割体２１１Ａと第２分割体２１１Ｂとの結合部を跨いで、第１分割体２１１Ａと第２分割体２１１Ｂとを結合するそれぞれの端部に設けられた一対の把持部２１２ｂ，２１２ｂを一組として用いる。よって、把持部２２２を長手方向に離間させるように操作することにより、凹凸係合された第１分割体２１１Ａと第２分割体２１１Ｂとの開口端部同士が離間して、第１分割体２１１Ａと第２分割体２１１Ｂとに分割することができる。
【００７０】
第２の被覆解除手段２３０は、被覆筒体２１１の端部が筒芯方向に複数に分割可能な分割手段２３１，２３１と、該分割手段２３１，２３１の分割操作のために把持する把持部２３２，２３２と、を備える。
【００７１】
分割手段２３１，２３１は、被覆筒体２１１の長手方向に２分割可能に構成され、その分割された第１分割体２１１Ａ又は第２分割体２１１Ｂと、当該第１分割体２１１Ａ又は第２分割体２１１Ｂの開口を塞ぐ蓋体２３１Ａ，２３１Ｂとに分離する。第１の蓋体２３１Ａは、第１の架線側の被覆筒体２１１（第１分割体２１１Ａ）であり、第２の蓋体２３１Ｂは、第２の架線側の被覆筒体２１１（第２分割体２１１Ｂ）である。第１分割体２１１Ａと第１の蓋体２３１Ａとは、第１分割体２１１Ａの開口端面が凹状に形成され、第１の蓋体２３１Ａの開口端面が凸状に形成され、それぞれが凹凸係合されて結合されている。そして、分割手段２３１は、この凹凸係合を分離することにより第１分割体２１１Ａと第１の蓋体２３１Ａとに分割する。また、第２分割体２１１Ｂと第２の蓋体２３１Ｂとは、第２分割体２１１Ｂの開口端面が凸状に形成され、第２の蓋体２３１Ｂの開口端面が凹状に形成され、それぞれが凹凸係合されて結合されている。そして、分割手段２３１は、この凹凸係合を分離することにより第２分割体２１１Ｂと第２の蓋体２３１Ｂとに分割する。
【００７２】
把持部２３２は、収納手段２１２の把持部２１２ｂ，２１２ｂ，…と同じ構成であり、第１分割体２１１Ａと第１の蓋体２３１Ａとの結合部を跨いで、第１分割体２１１Ａと第１の蓋体２３１Ａとを結合するそれぞれの端部に設けられた一対の把持部２１２ｂ，２１２ｂを一組として用いる。よって、把持部２３２を長手方向に離間させるように操作することにより、凹凸係合された第１分割体２１１Ａと第１の蓋体２３１Ａとの開口端部同士が離間して、第１分割体２１１Ａと第１の蓋体２３１Ａとに分割することができる。
【００７３】
また、第２分割体２１１Ｂと第２の蓋体２３１Ｂとの結合部を跨いで、第２分割体２１１Ｂと第２の蓋体２３１Ｂとを結合するそれぞれの端部に設けられた一対の把持部２１２ｂ，２１２ｂを一組として用いる。よって、把持部２３２を長手方向に離間させるように操作することにより、凹凸係合された第２分割体２１１Ｂと第２の蓋体２３１Ｂとの開口端部同士が離間して、第２分割体２１１Ｂと第２の蓋体２３１Ｂとに分割することができる。
【００７４】
次に、本実施形態に係る縁線接続方法について、図９及び図１０を参酌しつつ、詳細に説明する。まず最初に、縁線支持具１４０を腕金９０５に固定する（支持具固定工程Ｓ１）。
【００７５】
次いで、作業者は、被覆手段２１０により電線（縁線）を被覆する（被覆工程Ｓ２）。具体的には、収納手段２１２の把持部２１２ｂ、２１２ｂを間接活線作業具等で把持して第１分割体２１１Ａと第２分割体２１１Ｂとを結合した状態の被覆手段２１０の周方向に離間するように操作して、収納路２１２ａを形成させる。開かれた収納路２１２ａを介して電線を被覆筒体２１１（第１分割体２１１Ａ及び第２分割体２１１Ｂ）の内側に収納して電線を被覆する。そして、第１分割体２１１Ａと第２分割体２１１Ｂとの両端の開放されたままの開口端部に第１蓋体２３１Ａ及び第２蓋体２３２Ｂを嵌め込み、開口を塞いで、電線の両端部を被覆する。このような状態にすることにより、電線を縁線絶縁保護具２００で絶縁する。この被覆工程Ｓ２は、支持具固定工程Ｓ１の前に行ってもよいし、別の作業者により行うことにより、同時に行ってもよい。
【００７６】
次いで、図９（ａ）に示すように、被覆手段２１０で電線の一端から他端まで被覆された縁線絶縁保護具２００及び該縁線絶縁保護具２００で被覆された電線を、間接活線作業具などで縁線９０１を接続する位置に保持する（保持工程Ｓ３）。なお、縁線絶縁保護具２００及び電線は、柱上の充電部と絶縁されつつ保持されているため、特に充電部に対して防具などの絶縁防護を施す必要はない。
【００７７】
次いで、図９（ｂ）に示すように、電柱９０３に引き留められることにより張力が作用している第１の架線９０４Ａの部分と縁線９０１の一端部とを接続する（第１の接続工程Ｓ４）。具体的には、縁線絶縁保護具２００の第２の被覆解除手段２３０の把持部２３２を間接活線作業具で把持して、分割手段２３１を分割する。分割手段２３１が分割されて、第１蓋体２３１Ａが第１分割体２１１Ａから分離される。更に、伸縮部２１１ａを縮めることにより、縁線９０１を第１の架線９０４Ａに接続するために必要な長さの縁線９０１の端部を第１分割体２１１Ａから露出させる。被覆筒体２１１によって被覆された縁線９０１の一端部が開放され、被覆手段２１０の端部の被覆が解除される。このように被覆が解除されて縁線９０１の端部は、接続可能な状態となる。この縁線９０１の一端部と第１の架線９０４Ａの絶縁被覆が剥ぎ取られた接続箇所とを圧着スリーブ等で接続し、絶縁カバー９０９等で絶縁保護される。
【００７８】
また、第１の接続工程Ｓ４と同様の要領で、電柱９０３に引き留められることにより張力が作用している第２の架線９０４Ｂの部分と縁線９０１の他端部とを接続する（第２の接続工程Ｓ５）。
【００７９】
次いで、図１０（ａ）に示すように、腕金９０５に固定された縁線支持具１４０に縁線絶縁保護具２００で絶縁された縁線９０１を支持する（支持工程Ｓ６）。具体的には、縁線絶縁保護具２００の第１の被覆解除手段２２０の把持部２２２を間接活線作業具で把持して、分割手段２２１を分割する。分割手段２２１が分割されて、第１分割体２１１Ａと第２分割体２１１Ｂとが分離される。更に、伸縮部２１１ａ，２１１ａを縮めることにより、第１分割体２１１Ａと第２分割体２１１Ｂとの隙間を広げる。被覆筒体２１１によって被覆された縁線９０１の中途部が開放され、被覆手段２１０の中途部の被覆が解除される。このように被覆が解除されて支持可能な状態となった縁線９０１の中途部を縁線支持具１４０に支持する。すなわち、縁線支持具１４０の支持部材１４２の可動片１４２ｂを開いて、縁線の中途部を支持部材１４２の内側に挿入し、その後、可動片１４２ｂを閉じることにより、縁線を縁線支持具１４０で支持する。
【００８０】
なお、第１の接続工程Ｓ４、第２の接続工程Ｓ５及び支持工程Ｓ６は、保持工程Ｓ３の後であれば、どのような順番で行われてもよい。
【００８１】
最後に、図１０（ｂ）に示すように、架線９０４Ａ，９０４Ｂ間に縁線９０１を接続した後、縁線絶縁保護具２００を縁線９０１から取り外す（取外工程Ｓ７）。具体的には、被覆筒体２１１の長手方向の一端部に沿って設けられている収納手段２１２の把持部２１２ｂに間接活線作業具を把持し、他の間接活線作業具を被覆筒体２１１の他端部に沿って設けられる収納手段２１２の把持部２１２ｂを把持する。そして、被覆筒体２１１の周方向を離間するように間接活線作業具を操作すると、収納路２１２ａが開き、この収納路２１２ａを縁線９０１に通して縁線絶縁保護具２００を取り外す。
【００８２】
このようにすることにより、電柱９０３に引き留められることにより張力が作用している架線９０４Ａ，９０４Ｂの部分（例えば、架線９０４Ａ，９０４Ｂが引き留めクランプ９０，９０７で電柱９０３間に引き留められている場合であれば、当該架線９０４Ａ，９０４Ｂの一端部を引き留める引き留めクランプ９０７と他端部を引き留める引き留めクランプ９０７との間の部分）に縁線９０１を接続することができ、充電部や鳥の巣が作られやすい位置（引き留めクランプ９０７より電柱９０３側の位置）に縁線９０１が接続されることがないため、地絡や短絡事故が起こりにくいように架線に縁線を接続することができる。
【００８３】
また、縁線９０１は、被覆手段２１０が絶縁性を有することから、この被覆手段２１０が被覆されることにより、絶縁することができる。よって、この被覆手段２１０で被覆された縁線９０１は、架線９０４や充電部に接近させても絶縁９０１が確保され、この絶縁が確保された状態で架線９０４に接続することができる。よって、架線９０４Ａ，９０４Ｂ間に縁線９０１を接続する際においても、地絡や短絡事故が起こりにくいように架線に縁線を接続することができる。
【００８４】
一方の（第１の）架線９０４Ａと他方の（第２の）架線９０４Ｂとの間に渡される縁線９０１が自重などにより撓んで腕金９０５などと接触するようなことがないように、縁線９０１を縁線支持具１４０で腕金９０５に支持する場合であって、被覆手段２１０で縁線９０１の中途部が被覆されている場合であっても、第１の被覆解除手段２２０で被覆手段２１１の中途部の被覆を解除すると、縁線９０１の中途部の被覆が解除されるため、被覆手段２１０により被覆されていた縁線９０１の中途部に縁線支持具１４０を支持することができる。
【００８５】
また、縁線支持具１４０に縁線９０１の中途部を支持する際は、分割手段２２１を分割することにより、縁線９０１の中途部の絶縁を解除することができる。
【００８６】
また、例えば、活線状態で縁線９０１を架線９０４Ａ，９０４Ｂ間に接続するような場合で、縁線９０１を支持するピン碍子などの縁線支持具１４０に活線状態にある既設の縁線９０１が支持されていることにより新設する縁線９０１が支持できない場合であっても、本発明に係る縁線支持具１４０を腕金９０５に固定することにより新設する縁線９０１を支持することができる。
【００８７】
また、被覆手段２１０で縁線９０１の端部が被覆されている場合であっても、第２の被覆解除手段２３０で被覆手段２１０の端部の被覆を解除すると、縁線９０１の端部の被覆が解除されるため、被覆手段２１０により被覆されていた縁線９０１の端部と架線９０４とを接続することができる。
【００８８】
また、架線９０４に縁線９０１の端部を接続する際は、分割手段２３１，２３１によって被覆手段２１０から端部を分離して、縁線９０１の端部の絶縁を解除することができる。
【００８９】
縁線９０１を被覆する際は、被覆手段２１１を伸ばして縁線９０１の端部を覆うことにより、縁線９０１を被覆して絶縁を確保するとともに、架線９０４に縁線９０１の端部を接続する際は、被覆手段２１１を縮めて縁線９０１の端部を剥き出しにすることにより、縁線９０１の端部の絶縁を解除することができる。
【００９０】
また、架線９０４間に架け渡す形状に合わせてくせをつけた状態の縁線９０１であっても、当該縁線９０１に沿わせて被覆筒体２１１を被覆することができる。更に、例えば、架線９０１に接続され、又は、縁線支持具１４０に支持された後、当該縁線９０１から被覆手段２１０を縁線９０１の周方向に取り外すことができるように構成されており、他の縁線９０１の接続に使いまわしができる。
【００９１】
また、架線９０４に接続され、又は、縁線支持具１４０に支持された後、当該縁線９０１から縁線絶縁保護具２００を取り外して、他の縁線９０１の接続に使いまわすことができる。
【００９２】
次に、第３実施形態に係る縁線接続方法について、詳細に説明する。まず、本実施形態に係る縁線接続方法に用いる縁線絶縁保護具３００の構成について、図１１及び図１２を参酌しつつ説明する。なお、本実施形態に係る縁線接続方法に用いる縁線支持具は、第１実施形態に係る縁線支持具１４０と同様であるため、構成についての説明を省略する。また、縁線絶縁保護具３００についても、第１実施形態に係る縁線絶縁保護具１００及び第２実施形態に係る縁線絶縁保護具２００と同様の構成については、説明を省略する。
【００９３】
縁線絶縁保護具３００は、第２実施形態に係る縁線絶縁保護具２００と同様に、被覆手段３１０と、第１の被覆解除手段３２０と、第２の被覆解除手段３３０と、被覆手段３１０を架線に装着可能な装着部材３５０，３５０と、を備える。
【００９４】
被覆手段３１０は、筒状に形成されて縁線の周方向から被覆可能な被覆筒体３１１と、該被覆筒体３１１の内側に縁線を収納する収納手段３１２と、を備える。収納手段３１２は、被覆筒体３１１の長手方向に沿って連続して破断して形成された収納路３１２ａと、該収納路３１２ａの両側にそれぞれ配置される把持部３１２ｂ，３１２ｂ，…と、を備える。
【００９５】
第１の被覆解除手段３２０は、被覆筒体３１１の中途部が筒芯方向に複数に分割可能な分割手段３２１と、該分割手段３２１の分割操作のために把持する把持部３２２，３２２と、を備える。
【００９６】
分割手段３２１は、被覆筒体３１１の長手方向に３分割可能に構成され、第１分割体３１１Ａと第２分割体３１１Ｂとを分割する。第１分割体３１１Ａは、第１の架線側の被覆筒体３１１であり、第２分割体３１１Ｂは、第２の架線側の被覆筒体３１１である。すなわち、分割手段３２１は、第１分割体３１１Ａと第２分割体３１１Ｂとの間に位置して、第１分割体３１１Ａと第２分割体３１１Ｂとのそれぞれに分割可能に連結される。第１分割体３１１Ａの分割手段３２１側の開口端面は、凹状に形成される。分割手段３２１は、一方の開口端面（第１分割体３１１Ａ側）が凸状に形成され、他方の開口端面（第２分割体３１１Ｂ側）が凹状に形成される。第２分割体２１１Ｂの分割手段３２１側の開口端面は、凸状に形成される。そして、第１分割体３１１Ａ及び分割手段３２１と、第２分割体３１１Ｂ及び分割手段３２１とは、それぞれ凹凸係合されて結合されている。そして、分割手段３２１は、この凹凸係合を分離することにより第１分割体３１１Ａと第２分割体３１１Ｂとを分割する。
【００９７】
把持部３２２は、収納手段３１２の把持部３１２ｂ，３１２ｂ，…と同じ構成であり、第１分割体３１１Ａと分割手段３２１との結合部、並びに、第２分割体３１１Ｂと分割手段３２１との結合部を跨いで、それぞれ一対の把持部３１２ｂ，２１２ｂ，…を一組として用いる。よって、把持部３２２を長手方向に離間させるように操作することにより、凹凸係合された第１分割体３１１Ａ及び分割手段３２１、第２分割体３１１Ｂ及び分割手段３２１の開口端部同士が離間して、第１分割体３１１Ａと第２分割体３１１Ｂとを分割手段３２１によって分割することができる。
【００９８】
第２の被覆解除手段３３０は、被覆筒体３１１の端部が筒芯方向に複数に分割可能な分割手段３３１，３３１と、該分割手段３３１，３３１の分割操作のために把持する把持部３３２，３３２と、を備える。分割手段３３１，３３１は、被覆筒体３１１の長手方向に２分割可能に構成され、その分割された第１分割体３１１Ａ又は第２分割体３１１Ｂと、当該第１分割体３１１Ａ又は第２分割体３１１Ｂの開口を塞ぐ蓋体３３１Ａ，３３１Ｂとに分離する分離手段である。第１の蓋体３３１Ａは、第１の架線側の被覆筒体３１１であり、第２の蓋体３３１Ｂは、第２の架線側の被覆筒体３１１である。
【００９９】
把持部３３２は、収納手段３１２の把持部３１２ｂ，３１２ｂ，…と同じ構成であり、第１分割体３１１Ａと第１の蓋体３３１Ａとの結合部、並びに、第２分割体３１１Ｂと第２の蓋体３３１Ｂとの結合部を跨いで、それぞれ一対の把持部３３２ｂ，３３２ｂ，…を一組として用いる。
【０１００】
装着部材３５０は、被覆筒体３１１（第１分割体３１１Ａ及び第２分割体３１１Ｂ）の両端部に架線と対向可能な位置に設けられる。装着部材３５０は、第１の架線と第２の架線とに１か所づつ以上設けられるのが好ましい。装着部材３５０は、架線を挟み込むことで架線に装着される。
【０１０１】
次に、本実施形態に係る縁線接続方法について、図１２及び図１３を参酌しつつ、詳細に説明する。まず最初に、縁線支持具１４０を腕金９０５に固定する（支持具固定工程Ｓ１）。そして、作業者は、被覆手段３１０により電線（縁線）を被覆する（被覆工程Ｓ２）。
【０１０２】
次いで、図１２（ａ）に示すように、被覆手段３１０で電線の一端から他端まで被覆された縁線絶縁保護具３００及び該縁線絶縁保護具３００で被覆された電線を、間接活線作業具などで縁線９０１を接続する位置に移動させ、装着部材３５０で架線９０４Ａ，９０４Ｂに装着して保持する（保持工程Ｓ３）。
【０１０３】
次いで、図１２（ｂ）に示すように、電柱９０３に引き留められることにより張力が作用している第１の架線９０４Ａの部分と縁線９０１の一端部とを接続する（第１の接続工程Ｓ４）。また、第１の接続工程Ｓ４と同様の要領で、電柱９０３に引き留められることにより張力が作用している第２の架線９０４Ｂの部分と縁線９０１の他端部とを接続する（第２の接続工程Ｓ５）。
【０１０４】
次いで、図１３（ａ）に示すように、腕金９０５に固定された縁線支持具１４０に縁線絶縁保護具３００で絶縁された縁線９０１を支持する（支持工程Ｓ６）。具体的には、縁線絶縁保護具３００の第１の被覆解除手段３２０の把持部３２２を間接活線作業具で把持して、分割手段３２１が分割され、分割手段３２１が第１分割体３１１Ａと第２分割体３１１Ｂとから分離される。収納手段３１２の把持部３１２ｂを操作して、収納手段３１２を開き、縁線９０１から分割手段３２１を取り外し、縁線支持具３４０を縁線９０１に支持するためのスペースを空ける。このようにして、被覆筒体３１１によって被覆された縁線９０１の中途部が開放され、被覆手段３１０の中途部の被覆が解除される。このように被覆が解除されて支持可能な状態となった縁線９０１の中途部を縁線支持具１４０に支持する。
【０１０５】
なお、第１の接続工程Ｓ４、第２の接続工程Ｓ５及び支持工程Ｓ６は、保持工程Ｓ３の後であれば、どのような順番で行われてもよい。
【０１０６】
最後に、図１３（ｂ）に示すように、架線９０４Ａ，９０４Ｂ間に縁線９０１を接続した後、縁線絶縁保護具３００を縁線９０１から取り外す（取外工程Ｓ７）。
【０１０７】
このようにすることにより、電柱９０３に引き留められることにより張力が作用している架線９０４Ａ，９０４Ｂの部分（例えば、架線９０４Ａ，９０４Ｂが引き留めクランプ９０，９０７で電柱９０３間に引き留められている場合であれば、当該架線９０４Ａ，９０４Ｂの一端部を引き留める引き留めクランプ９０７と他端部を引き留める引き留めクランプ９０７との間の部分）に縁線９０１を接続することができ、充電部や鳥の巣が作られやすい位置（引き留めクランプ９０７より電柱９０３側の位置）に縁線９０１が接続されることがないため地絡や短絡事故が起こりにくいように架線に縁線を接続することができる。
【０１０８】
また、縁線９０１は、被覆手段３１０が絶縁性を有することから、この被覆手段３１０が被覆されることにより、絶縁することができる。よって、この被覆手段３１０で被覆された縁線９０１は、架線９０４や充電部に接近させても絶縁９０１が確保され、この絶縁が確保された状態で架線９０４に接続することができる。よって、架線９０４Ａ，９０４Ｂ間に縁線９０１を接続する際においても、地絡や短絡事故が起こりにくいように縁線を架線に接続することができる。
【０１０９】
一方の（第１の）架線９０４Ａと他方の（第２の）架線９０４Ｂとの間に渡される縁線９０１が自重などにより撓んで腕金９０５などと接触するようなことがないように、縁線９０１を縁線支持具１４０で腕金９０５に支持する場合であって、被覆手段３１０で縁線９０１の中途部が被覆されている場合であっても、第１の被覆解除手段３２０で被覆手段３１１の中途部の被覆を解除すると、縁線９０１の中途部の被覆が解除されるため、被覆手段３１０により被覆されていた縁線９０１の中途部に縁線支持具１４０を支持することができる。
【０１１０】
また、縁線支持具１４０に縁線９０１の中途部を支持する際は、分割手段３２１を分割することにより、縁線９０１の中途部の絶縁を解除することができる。
【０１１１】
また、例えば、活線状態で縁線９０１を架線９０４Ａ，９０４Ｂ間に接続するような場合で、活線状態にある既設の縁線９０１が縁線９０１を支持するピン碍子などの縁線支持具１４０に支持されていることにより新設する縁線９０１を支持できない場合であっても、本発明に係る縁線支持具１４０を腕金９０５に固定することにより新設する縁線９０１を支持することができる。
【０１１２】
また、被覆手段３１０で縁線９０１の端部が被覆されている場合であっても、第２の被覆解除手段３３０で被覆手段３１０の端部の被覆を解除すると、縁線９０１の端部の被覆が解除されるため、被覆手段３１０により被覆されていた縁線９０１の端部と架線９０４とを接続することができる。
【０１１３】
また、架線９０４に縁線９０１の端部を接続する際は、分割手段３３１，３３１を分割することにより、縁線９０１の端部の絶縁を解除することができる。
【０１１４】
また、架線９０４に接続され、又は、縁線支持具１４０に支持された後、当該縁線９０１から縁線絶縁保護具３００を取り外して、他の縁線９０１の接続に使いまわすことができる。
【０１１５】
なお、本発明は、上記実施形態に限定されず、本発明の要旨を逸脱しない範囲で様々な変更が可能である。
【０１１６】
上記実施形態に係る縁線接続方法は、縁線絶縁保護具１００，２００，３００が縁線の長手方向全長に亘って被覆可能な例を説明したが、これに限定されるものではない。例えば、電線の一方の端部又は両方の端部を除いた範囲を被覆可能な被覆手段であってもよい。この場合、被覆手段で被覆されていない電線は、その端部の絶縁被覆を剥いで導電部が露出する場合、その部分に絶縁キャップを設けて、縁線を架線間に接続するようにしてもよいし、負荷側の電線端部を除いた範囲を被覆手段で被覆するようにして、絶縁キャップ若しくは架線との接続の際に負荷側の電線端部の絶縁被覆のみを剥ぐようにしてもよい。
【０１１７】
上記第２及び第３実施形態に係る縁線接続方法は、縁線絶縁保護具２００，３００の第２の被覆解除手段２２０，３２０が分割手段２２１，３２１である例を説明したが、これに限定されるものではない。例えば、図１４の被覆手段４１０の要部拡大図に示すように、第２の被覆解除手段４３０は、被覆手段４１０の端部に開閉手段４３１及び把持部４３２が設けられていてもよい。また、開閉手段４３１は、被覆手段４１０の長手方向の一端と他端とを周方向に離間することにより形成される収納路４１２ａの端に連続して当該端部が離間可能なように形成することにより、収納路４１２ａを開きやすくすることができ、縁線９０１から縁線絶縁保護具を取り外しやすくすることができる。
【０１１８】
上記第１実施形態に係る縁線接続方法は、縁線絶縁保護具１００の第１の被覆解除手段１２０の開閉手段１２１が線ファスナーである例を説明したが、これに限定されるものではない。例えば、図１５の被覆手段５１０の要部拡大図に示すように、第１の被覆解除手段５２０は、被覆手段５１０の中途部に設けられた開口部５２１ａと、該開口部５２１ａを開閉可能に覆う被覆カバー５２１ｂとを備える開閉手段５２１であってもよい。
【０１１９】
上記第１実施形態に係る縁線接続方法は、シート状の縁線絶縁保護具１００の長手方向の一端の一方の面と他端の他方の面とを重ね合わせて、円筒形状に形成する例を説明したが、これに限定されるものではない。例えば、図１６（ａ）に示すように、シート状の縁線絶縁保護具の被覆手段６１０の長手方向の一端と他端との同一面同士を重ね合わせて、電線（縁線）を被覆するようにしてもよい。
【０１２０】
上記第１実施形態に係る縁線接続方法は、縁線絶縁保護具１００の被覆手段１１０を当該長手方向に沿って設けられた第１維持手段１１２を閉じることで電線の周方向に被覆可能とする例を説明したが、これに限定されるものではない。例えば、図１６（ａ）に示す被覆手段６１０の外観図に示すように、当該長手方向の端部同士を沿わせて、長手方向の端部に所定間隔空けて防具用クリップ６２０，…で把持して電線（縁線）の周方向を被覆可能としてもよい。
【０１２１】
また、防具用クリップ６２０の電線を被覆する被覆手段６１０の把持方法は、図１６（ａ）に示すように、被覆手段６１０の長手方向の端部同士を沿わせたその端部を把持するようにしてもよいし、同図（ｂ）に示すように、被覆手段７１０を抱き込むようにして防具用クリップ７２０を把持するようにしてもよい。もちろん、使用される防具用クリップ６２０，７２０は、把持する形態に合わせて適宜その把持部の大きさを選択するものとする。
【０１２２】
また、この防具用クリップ６２０，７２０は、間接活線作業用クリップや直接活線作業用クリップなど従来から使用されているものを使用することができる。特に、防具用クリップ６２０，７２０は、取外工程Ｓ７を間接活線作業で行うために、間接活線作業用クリップを用いることが好ましい。
【０１２３】
また、防具用クリップ６２０，７２０は、被覆手段６１０，７１０を把持することにより、縁線を被覆する被覆手段６１０，７１０の一部の被覆を解除する第１の被覆解除手段又は第２の被覆解除手段となすことができる。例えば、縁線を縁線支持手段１４０に支持するために、被覆手段６１０，７１０の長手方向中途部の被覆を解除する場合、その長手方向中途部を把持する防具用クリップ６２０，７２０を取り外すことにより、上記実施形態に係る被覆解除手段を備えていない被覆手段６１０，７１０であっても、縁線支持具１４０若しくはピン碍子に縁線を固定することができる。
【０１２４】
上記第２実施形態に係る縁線接続方法は、被覆筒体２１１の伸縮部２１１ａが蛇腹である例を説明したが、これに限定されるものではない。例えば、蛇腹の代わりに円筒形状に加工して折り曲げ可能な絶縁シートを用いても良い。
【符号の説明】
【０１２５】
１００…縁線絶縁保護具、１１０…被覆手段、１１１…被覆シート体、１１２…第１維持手段、１１２ａ…（第１）接合部、１１２ｂ…（第２）接合部、１１３…第２維持手段、１１３ａ…（第１）接合部、１１３ｂ…（第２）接合部、１１４…維持解除手段、１１４ａ…シート端、１１４ｂ…把持片、１２０…第１の被覆解除手段、１２１…開閉手段、１２２…把持部、１３０…第２の被覆解除手段、１３１…開閉手段、１３２…把持部、１４０…縁線支持具、１４１…固定部材、１４１ａ…固定部、１４１ｂ…可動部、１４２…支持部材、１４２ａ…固定片、１４２ｂ…可動片、１４２ｃ…軸部、１４３…連結部材、２００…縁線絶縁保護具、２１０…被覆手段、２１１…被覆筒体、２１１Ａ…第１分割体、２１１Ｂ…第２分割体、２１１ａ…伸縮部、２１２…収納手段、２１２ａ…収納路、２１２ｂ…把持部、２２０…第１の被覆解除手段、２２１…分割手段、２２２…把持部、２３０…第２の被覆解除手段、２３１…分割手段、２３１Ａ…（第１の）蓋体、２３１Ｂ…（第２の）蓋体、２３２…把持部、３００…縁線絶縁保護具、３１０…被覆手段、３１１…被覆筒体、３１１Ａ…第１分割体、３１１Ｂ…第２分割体、３１２…収納手段、３１２ａ…収納路、３１２ｂ…把持部、３２０…第１の被覆解除手段、３２１…分割手段、３２２…把持部、３３０…第２の被覆解除手段、３３１…分割手段、３３２…把持部、３５０…装着部材、Ｓ１…支持具固定工程、Ｓ２…被覆工程、Ｓ３…保持工程、Ｓ４…第１の接続工程、Ｓ５…第２の接続工程、Ｓ６…支持工程、Ｓ７…取外工程、５１０…被覆手段、５２０…開閉手段、５２１ａ…開口部、５２１ｂ…被覆カバー、６１０…被覆手段、６２０…防具用クリップ、７１０…被覆手段、７２０…防具用クリップ、９０１…縁線、９０２…（縁線の）接続箇所、９０３…電柱、９０４…架線、９０４Ａ…第１の架線、９０４Ｂ…第２の架線、９０５…腕金、９０６…ピン碍子、９０７…引き留めクランプ、９０８…端末キャップ、９０９…絶縁カバー
【図１】
0005349508.tif 000002
【図２】
0005349508.tif 000003
【図３】
0005349508.tif 000004
【図４】
0005349508.tif 000005
【図５】
0005349508.tif 000006
【図６】
0005349508.tif 000007
【図７】
0005349508.tif 000008
【図８】
0005349508.tif 000009
【図９】
0005349508.tif 000010
【図１０】
0005349508.tif 000011
【図１１】
0005349508.tif 000012
【図１２】
0005349508.tif 000013
【図１３】
0005349508.tif 000014
【図１４】
0005349508.tif 000015
【図１５】
0005349508.tif 000016
【図１６】
0005349508.tif 000017